(57)【要約】  所定の様式で構造をマークまたは切断するプロセスを補助するためのツールを開示する。ツールは、縦軸を有するロッド部材と、ロッド部材に回転可能に取り付けられるプレート部材とを備える。ツールは、ロッド部材及びプレート部材に取り外し可能に取り付けられるアームを備える。プレート部材は、ジョイントと、ロッド部材とプレート部材との間に磁力を提供するように構成される１つ以上の磁気構造または磁化可能構造とを備える構造によってロッド部材に回転可能に取り付けられる。【選択図】図１Ａ
2021517075.tif 000002
【特許請求の範囲】
【請求項１】
所定の様式で構造をマークまたは切断するプロセスを補助するためのツール（２）であって、
縦軸（Ｘ）を有するロッド部材（４）と、
前記ロッド部材（４）に回転可能に取り付けられるプレート部材（６）と、
前記ロッド部材（４）及び前記プレート部材（６）に取り外し可能に取り付けられるアーム（１６）と、を備え、
前記プレート部材（６）は、ジョイント（４４，４２，４２’，４０，４０’）を備える構造（４０，４０’，４２，４２’，４４，８０）によって前記ロッド部材（４）に回転可能に取り付けられ、
１つ以上の磁気構造または磁化可能構造（４２，４２’，８０）は、前記ロッド部材（４）と前記プレート部材（６）との間に磁力を提供するように構成され、
１つ以上の磁気構造または磁化可能構造は前記アーム（１６）と前記プレート部材（６）との間に磁力を提供するように構成され、
前記プレート部材（６）は、対応する受容部（４２，４２’）内に挿入される円筒形ピン部材（４４）を備えるピボットジョイント（４０，４０’，４２，４２’，４４，８０）によって前記ロッド部材（４）に回転可能に取り付けられ、それによって、前記円筒形ピン部材（４４）は、少なくとも部分的に、磁気材料または磁化可能材料で作られた平面構造（８０）によって囲まれ、前記受容部（４２，４２’）は、前記平面構造（８０）と接触するように配置及び構成され、前記平面構造（８０）及び前記受容部（４２，４２’）は、前記平面構造（８０）及び前記受容部（４２，４２’）が磁力によって相互に引き付けられることを確実にする材料で作られ、それによって、さらに、前記ピン部材（４４）は前記ロッド部材に取り付けられ、孔を有する前記対応する構造は前記プレート部材（６）に設けられ、前記プレート部材（６）は前記プレート部材（６）の前記縦軸（Ｙ）に沿って配置される穴（４０，４０’）が設けられ、それによって、追加穴（３８，３８’，３８’’，３８’’’）は前記プレート部材（６）に設けられ、前記追加穴（３８，３８’，３８’’，３８’’’）は前記プレート部材（６）の前記縦軸（Ｙ）に対して対称的に設けられることを特徴とする、ツール（２）。
【請求項２】
前記ツール（２）は前記ロッド部材（４）に取り外し可能に取り付けられる設定デバイス（１２）を備え、前記設定デバイス（１２）は、前記設定デバイス（１２）に移動可能に取り付けられる固定部材（１４）を備えることを特徴とする、請求項１に記載のツール（２）。
【請求項３】
前記ツール（２）は、前記ロッド部材（４）に取り外し可能に取り付けられる角度設定デバイス（８）を備えることを特徴とする、請求項１〜２のいずれか１項に記載のツール（２）。
【請求項４】
前記角度設定デバイス（８）は、前記ロッド部材（４）に設けられる対応する係合構造（６６）とロックして係合するように構成される係合構造（６２）を備えるロック構造（５４）を備えることを特徴とする、請求項３に記載のツール（２）。
【請求項５】
溝（２８）は、前記ロッド部材（４）の長さに沿って、好ましくは前記ロッド部材（４）の全長に沿って延在することを特徴とする、請求項１〜４のいずれか１項に記載のツール（２）。
【請求項６】
前記ツール（２）は、前記ロッド部材（４）の対応する取り付け構造（１８）と係合するように適合される取り付け構造（２２）が設けられる追加ロッド部材（４’）を備えることを特徴とする、請求項１〜５のいずれか１項に記載のツール（２）。
【発明の詳細な説明】
【技術分野】
【０００１】
本発明は、所定の様式で構造をマークまたは切断するプロセスを補助するためのツールを開示する。本発明は、より具体的には、所定の長さ及び所定の角度になるように、プレート等の構造をマークまたは切断するプロセスを補助するためのツールに関する。
【背景技術】
【０００２】
例えば、建築の目的のためにプレート構造を使用する必要があるとき、通常、構造の長さを短くし、及び／または構造の隣接する側部の間の角度の間を変化させる必要がある。したがって、いくつかのツールは、所定の様式で構造をマークまたは切断するプロセスを補助するために提案されている。一般的に、これらのツールは、測定ロッドと、測定ロッドに回転可能に取り付けられるプレート部材とを備える。一般的に、先行技術のツールは、プレート部材がロッド部材に永久的に取り付けられる場合、組み立て及び分解が困難であり時間がかかる、または多くの空間を占有する。この理由のために、先行技術のツールはユーザが利用しやすくない。
【０００３】
先行技術のツールは国際公開第２０１４／１２１６９８号に開示され、スライダーが溝の長さに沿って移動するように提供及び適合される縦方向の貫通溝をそれぞれ備える定規のセットが開示され、それによって、各スライダーはプラグポストと反対側のソケット穴とを備え、それにより、一方のスライドのプラグポストは、隣接するスライダーのソケット穴内に導入され、ソケット穴と組み立てられるのを維持し得、それによって、磁石は、隣接するスライダーの間の磁力によって接続を維持するためのソケット穴に設けられる。スライダーが磁力によって強く相互接続される一方、定規はそうではなく、ひいては相互に対して摺動すること及び回ることの両方を行い得るために、ツールは線を引くまたは切断するのに使用できない。
【０００４】
米国特許第５４３８７６１号明細書では、三角測量構成が開示されており、定規は第２の伸長部材に摺動自在に接続され、磁気部材はスライダー部材と定規との間に接触を維持するために設けられる。アームは伸長部材と定規との間に設けられるが、定規及び伸長部材から容易に着脱できない。
【０００５】
米国特許出願公開第２００３／０４１４６７号明細書では、一方の斜辺足の２つの対向端で移動可能ジョイントと、２つの非斜辺脚を一緒に留めるために第３のジョイントで磁気挿入部がある開閉式ジョイントとを備える折り畳み式三角形が示されている。いったん磁気挿入部が第３のジョイントで接合すると、三角形は動かなくなり、角度の調節ができなくなる。
【０００６】
米国特許第５６０３１６４号明細書では、所定の様式で構造をマークまたは切断するプロセスを補助するためのツールが示されており、ツールは、縦軸を有するロッド部材と、ロッド部材に回転可能に取り付けられるプレート部材と、ロッド部材に取り付けられ、プレート部材に取り付けられるアームとを備え、プレート部材はジョイントを備える構造によってロッド部材に回転可能に取り付けられる。このツールは、分解または再組み立てが容易にできない。
【０００７】
したがって、先行技術の上述の不利点を減らすまたはなくすツールの必要性がある。
【先行技術文献】
【特許文献】
【０００８】
【特許文献１】国際公開第２０１４／１２１６９８号
【特許文献２】米国特許第５４３８７６１号明細書
【特許文献３】米国特許出願公開第２００３／０４１４６７号明細書
【特許文献４】米国特許第５６０３１６４号明細書
【発明の概要】
【発明が解決しようとする課題】
【０００９】
本発明の目的は、所定の様式で構造をマークまたは切断するプロセスを補助するためのツールを提供することであり、ツールは組み立て及び分解することが容易に及び速くなり、ツールは分解するときに多くの空間を占有しない。
【課題を解決するための手段】
【００１０】
本発明の目的は、請求項１に定義されるようなツールによって達することができる。好ましい実施形態は従属下位クレームに定義され、以下の記述に説明され、添付図に示される。
【００１１】
本発明に従ったツールは、所定の様式で構造をマークまたは切断するプロセスを補助するためのツールであり、ツールは、縦軸を有するロッド部材と、ロッド部材に回転可能に取り付けられるプレート部材とを備え、ツールはロッド部材及びプレート部材に取り外し可能に取り付けられるアームを備え、プレート部材は、ジョイントと１つ以上の磁気構造または磁化可能構造とを備える構造によってロッド部材に回転可能に取り付けられ、１つ以上の磁気構造または磁化可能構造はロッド部材とプレート部材との間に磁力を提供するように構成され、１つ以上の磁気構造または磁化可能構造はアームとプレート部材との間に磁力を提供するように構成され、プレート部材はプレート部材の対応する受容部内に挿入される円筒形ピン部材を備えるピボットジョイントによってロッド部材に回転可能に取り付けられる。円筒形ピン部材は少なくとも部分的に磁気材料または磁化可能材料で作られたロッドの平面構造によって囲まれ、プレート部材の受容部は平面構造と接触するように配置及び構成され、ロッドの平面構造及びプレート部材の受容部は平面構造及び受容部が磁力によって相互に引き付けられることを確実にする材料で作られることが好ましい。
【００１２】
これによって、所定の様式で構造をマークまたは切断するプロセスを補助するためのツールを提供することが可能であり、ツールは組み立てる及び分解することが容易に及び速くなる。
【００１３】
ツールは、所定の様式で構造をマークまたは切断するプロセスを補助するために使用されることが意図される。ツールは、所定の様式で石膏ボードまたは合板を切断するために、それらをマークアップするために使用できる。ツールは、また、誘導構造としてプレート部材を使用することによって、プレートを切断するために使用され得、切断ツールは、プレート部材の側部に沿ってプレートを移動させることによって切断するために使用できる。
【００１４】
ツールは、縦軸を有するロッド部材と、ロッド部材に回転可能に取り付けられるプレート部材とを備える。ロッド部材は任意の適切なサイズ及び幾何学形状を有し得る。ロッド部材は一定断面積を有する細長い構造であり得る。ロッド部材は基本的な箱型であり得る。
【００１５】
プレート部材は任意の適切なサイズ及び幾何学形状を有し得る。プレート部材は一定断面積を有する細長い構造であり得る。プレート部材は平箱として成形され得る。プレート部材は対称であることで利点をもたらし得る。プレート部材は長方形断面を有し得る。
【００１６】
ツールは、ロッド部材及びプレート部材に取り外し可能に取り付けられるアームを備える。本発明に従った好ましい実施形態では、アームはロッド部材及びプレート部材に回転可能に取り付けられる。
【００１７】
アームは、ジョイントと、アームとプレート部材との間に磁力を提供するように構成される１つ以上の磁気構造または磁化可能構造とを備える構造によってプレート部材に回転可能に取り付けられ得る。
【００１８】
これによって、ツールは、速く及び容易な様式で組み立てられ及び設定されることができる。
【００１９】
プレート部材は、ジョイントと、ロッド部材とプレート部材との間に磁力を提供するように構成される１つ以上の磁気構造または磁化可能構造とを備える構造によってロッド部材に回転可能に取り付けられる。
【００２０】
磁力は、ロッド部材及びプレート部材が磁力によって一緒に保持されることを確実にする。さらに、磁力は、プレート部材へのロッド部材の取り付けを容易にする。
【００２１】
プレート部材は対応する受容部内に挿入される円筒形ピン部材を備えるピボットジョイントによってロッド部材に回転可能に取り付けられることで利点をもたらし得る。
【００２２】
これによって、ロッド部材はプレート部材に容易に取り付けできる。さらに、安定性の高い及び信頼性のある構成を提供できる。
【００２３】
本発明の一実施形態では、ピン部材はロッド部材に取り付けられ、孔を有する対応する構造はプレート部材に設けられる。
【００２４】
本発明の別の実施形態では、ピン部材はプレート部材に取り付けられ、孔を有する対応する構造はロッド部材に設けられる。
【００２５】
円筒形ピン部材は少なくとも部分的に磁気材料または磁化可能材料で作られた構造（好ましくは平面構造）によって囲まれ、受容部は構造と接触するように配置及び構成され、構造及び受容部は、構造及び受容部が磁力によって相互に引き付けられることを確実にする材料で作られることで利点をもたらし得る。
【００２６】
これによって、プレート部材にロッド部材を取り付ける単純で、信頼性があり、ユーザが利用しやすい方法を提供することが可能である。
【００２７】
ツールはロッド部材に取り外し可能に取り付けられる設定デバイスを備え、設定デバイスは設定デバイスに移動可能に取り付けられる固定部材を備えることで有益になり得る。
【００２８】
これによって、設定デバイスはロッド部材上の所望の位置に配置され、それによって、プレート部材は所定の様式で構造をマークまたは切断するために使用できる。
【００２９】
設定デバイスは設定デバイスに回転可能に取り付けられる固定部材を備え得る。
【００３０】
ツールは、ロッド部材（例えば、ロッド部材に設けられる溝）に摺動可能に取り付けられる設定デバイスを備えることで利点をもたらし得る。
【００３１】
設定デバイスは、プレート部と、プレート部に回転可能に取り付けられるＬ形固定部材とを備えることで利点をもたらし得る。
【００３２】
これによって、Ｌ形固定部材はマークまたは切断される構造の端部と係合して当接できる。これによって、切断またはマークされる構造は設定デバイスに対して固定位置に維持できる。
【００３３】
設定デバイスは凹部が設けられるプレート部を備えることと、Ｌ形固定部材はＬ形固定部材の少なくとも一部が凹部に配置される位置になるように構成されることとにより利点をもたらし得る。
【００３４】
固定部材がプレート部の端部を通って、凹部を通って、及びさらにＬ形固定部材に設けられる孔を通って延在するシャフトによって設定デバイスのプレート部に回転可能に取り付けられることで有益になり得る。
【００３５】
ツールは、ロッド部材に取り外し可能に取り付けられる角度設定デバイスを備えることで利点をもたらし得る。
【００３６】
これによって、角度設定デバイスは、ロッド部材上でアームの取り付け位置を変化させるために使用できる。したがって、ロッド部材とプレート部材との間の角度は、角度設定デバイスを使用することによって変化し得る。
【００３７】
ツールは、ロッド部材に摺動可能に取り付けられる角度設定デバイスを備えることで利点をもたらし得る。
【００３８】
これによって、角度設定デバイスは、ロッド部材の長さに沿って、例えば、ロッド部材の長さに沿って延在するロッド部材に設けられる溝に沿って、角度設定デバイスを摺動させることによって、ロッド部材上でアームの取り付け位置を変化させるために使用できる。したがって、ロッド部材とプレート部材との間の角度は、角度設定デバイスを摺動させることによって変化し得る。
【００３９】
角度設定デバイスはロッド部材に設けられる対応する係合構造と（ロックして）係合するように構成される係合構造を備えるロック構造を備えることで利点をもたらし得る。
【００４０】
これによって、ロック構造は、角度設定デバイスを１つ以上の所定位置にロッド部材に固定するために使用できる。これは、１つ以上の所定の角度設定が他よりも頻繁である場合に利点をもたらし得る。
【００４１】
ロック構造は、雌部として形成されロッド部材に設けられる対応する係合構造によって受容されるように構成される雄部として形成される係合構造を備えることで利点をもたらし得る。
【００４２】
これによって、単純及び信頼性のある構成を提供できる。
【００４３】
本発明に従った一実施形態では、ロック構造はロッド形ピン部材として形成される係合構造を備え、ロック構造は角度設定デバイスの別の構造に摺動可能に取り付けられる。
【００４４】
これによって、使用するのに容易である単純、強力、及び信頼性のある構成を提供することが可能である。
【００４５】
角度設定デバイスは、つまみねじと、つまみねじの中央部の支持構造上に載るように構成される支持脚を備えるロック構造とを備え、支持脚を受容するように適合されるいくつかの孔は支持構造に設けられることで利点をもたらし得る。
【００４６】
これによって、単純な手段を使用することによって、支持構造に対してロック構造を変位させることが可能である。
【００４７】
ロック構造がロック構造の縦軸に沿って（ロッド部材に向かって）変位するとき、孔は支持脚を受容するように構成されることで有益になり得る。
【００４８】
ロック構造は角度設定デバイスに回転可能に配置されることと、支持構造の孔はその縦軸を中心とするロック構造の回転により支持脚を孔と係合させることができるように配置されることと、によって利点をもたらし得る。
【００４９】
これによって、使用するのに容易である単純構成を提供することが可能である。
【００５０】
ロッド部材は第１のスケール部が設けられることで利点をもたらし得る。第１のスケール部は、ロッド部材の縦軸またはロッド部材に垂直な方向に対するプレート部材の角度位置を示すように設けられ得る。第１のスケール部は、プレート部材からロッド部材上に取り付けられる設定デバイスまでの距離を示すために設けられ得る。
【００５１】
ロッド部材は第２のスケール部が設けられることで利点をもたらし得る。第２のスケール部は、ロッド部材の縦軸またはロッド部材に垂直な方向に対するプレート部材の角度位置を示すように設けられ得る。第２のスケール部は、プレート部材からロッド部材上に取り付けられる設定デバイスまでの距離を示すために設けられ得る。
【００５２】
本発明に従った一実施形態では、第１のスケール部はロッド部材とプレート部材との間の角度を示す。
【００５３】
本発明の一実施形態では、第１のスケール部は、９０度と、ロッド部材とプレート部材との間の角度との差を示す。本実施形態では、ロッド部材とプレート部材との間の角度が９０度である場合、第１のスケール部は０の値を示す。
【００５４】
角度設定デバイスは、第１のスケール部上で、（９０度に対する）角度または角変位を示すように適合されるポインタを含むことで利点をもたらし得る。
【００５５】
ロッド部材は所定位置に１つ以上の凹部が設けられることで有益になり得る。
【００５６】
これらの所定位置は所定の角度位置（例えば、ポインタが例えばいくつかの所定の値に対応する所定角度の値を示す角度位置）に対応することで利点をもたらし得る。
【００５７】
ロッド部材は、所定角度の値でいくつかの凹部を含み得る。これによって、容易に及びユーザが利用しやすいように、角度設定デバイスをこれらの所定の角度位置（例えば、０度、１１．２５度、２２．５度、及び４５度）に設定することが可能である。
【００５８】
本発明に従った好ましい実施形態では、ツールは、ロッド部材に摺動可能に取り付けられる角度設定デバイスを備える。角度設定デバイスは、溝の底部に設けられる対応する受容構造（凹部または孔）と係合するために、変位するように構成されるピンを有するノブを備える。
【００５９】
溝は、ロッド部材の長さに沿って、好ましくはロッド部材の全長に沿って延在することで利点をもたらし得る。
【００６０】
これによって、容易な様式で、１つ以上の構造をロッド部材に摺動可能に取り付け、これらの構造をロッド部材に締めることが可能である。
【００６１】
ツールは、ロッド部材の溝に摺動可能に配置される１つ以上の摺動ブロックを備えることで有益になり得る。
【００６２】
これによって、摺動ブロックは溝に配置され、１つ以上の構造（例えば、角度設定デバイス及び設定デバイス）を所定位置に位置付けるために摺動可能に変位できる。
【００６３】
プレート部材は、プレート部材の縦軸に沿って配置される穴が設けられることで利点をもたらし得る。
【００６４】
これによって、プレート部材を回し（プレート部材を１８０度回転させ）、さらに、プレート部材をロッド部材に取り付けることが可能である。
【００６５】
追加穴はプレート部材に設けられ、追加穴はプレート部材の縦軸に対して対称的に設けられることで有益になり得る。
【００６６】
これによって、プレート部材を回し（プレート部材を１８０度回転させ）またはプレート部材を変位させ、さらに、プレート部材をアーム部材に取り付けることが可能である。
【００６７】
ツールは、ロッド部材の対応する取り付け構造と係合するように適合される取り付け構造が設けられる追加ロッド部材を備えることで利点をもたらし得る。
【００６８】
これによって、ロッド部材の長さは延在できる。これは、長いプレート等の長い構造を扱うとき利点をもたらし得る。
【００６９】
ロッド部材は、ロッド部材の遠位端に配置される受容部が設けられ得る。受容部は、ロッド部材の隣に配置される追加ロッド部材の対応する挿入部を受容するように適合され得る。
【００７０】
これによって、追加ロッド部材４によって、ロッド部材を伸長することが可能である。
【００７１】
追加ロッド部材は第１のスケール部及び第２のスケール部が設けられ得る。第１のスケール部はロッド部材とプレート部材との間の角度を示し得る。本発明の一実施形態では、第１のスケール部は、９０度と、ロッド部材とプレート部材との間の角度との差を示す。
【００７２】
ロッド部材は任意の適切な材料で生成され得る。ロッド部材はプラスチック材料、木材で、または金属（例えば、アルミニウムまたはスチール）で生成されることで利点をもたらし得る。
【００７３】
プレート部材は任意の適切な材料で生成され得る。プレート部材はプラスチック材料、木材で、または金属（例えば、アルミニウムまたはスチール）で生成されることで利点をもたらし得る。
【００７４】
本発明は、下記に本明細書で与えられる詳細な説明からより十分に理解される。添付図は単なる例示として与えられ、ひいては、その図は本発明に限定されるわけではない。
【図面の簡単な説明】
【００７５】
【図１Ａ】本発明に従ったツールの概略的な斜視上面図を示す。
【図１Ｂ】本発明に従ったツールのロッド部材の概略上面断面図を示す。
【図２Ａ】本発明に従ったツールの別の斜視上面図を示す。
【図２Ｂ】図２Ａに示されるツールの設定デバイスの拡大図を示す。
【図２Ｃ】図２Ａに示されるツールのプレート部材に取り付けられるアームの拡大図を示す。
【図２Ｄ】図２Ａに示されるツールのロッド部材に取り付けられるプレート部材の拡大図を示す。
【図２Ｅ】図２Ａに示されるツールの角度設定デバイスの拡大図を示す。
【図３Ａ】プレートの端部に取り付けられる固定部材を伴う設定デバイスの拡大図を示す。
【図３Ｂ】本発明に従ったツールの角度設定デバイスの概略断面図を示す。
【図４Ａ】本発明に従ったツールの角度設定デバイスの断面図を示し、角度設定デバイスはロックピンがロッド部材に設けられる凹部の上方を上昇する構成である。
【図４Ｂ】別の構成で図４Ａに示される角度設定デバイスの断面図を示す。
【図４Ｃ】ロックピンがロッド部材の対応する凹部に係合する構成で図４Ａ及び図４Ｂに示される角度設定デバイスの断面図を示す。
【図４Ｄ】ロッド部材と、ロッド部材に摺動可能に取り付けられる角度設定デバイスとの上面断面図を示す。
【図５Ａ】本発明に従ったツールの角度設定デバイスの斜視拡大図を示し、角度設定デバイスはロックピンがロッド部材に設けられる凹部の上方を上昇する構成である。
【図５Ｂ】ロックピンがロッド部材に設けられる凹部に係合する別の構成で図５Ａに示される角度設定デバイスの斜視拡大図を示す。
【図６Ａ】第１のプレートを切断するために使用される本発明に従ったツールの概略上面図を示す。
【図６Ｂ】別のプレートを切断するために使用される図６Ａに示されるツールの概略上面図を示す。
【図７Ａ】本発明に従ったプレート部材の概略端面図を示す。
【図７Ｂ】本発明に従ったロッド部材の概略端面図を示す。
【発明を実施するための形態】
【００７６】
ここで、本発明の好ましい実施形態を示す目的のために詳細に図面を参照すると、本発明のツール２は図１に示される。ツール２は、所望の長さ及び角度になるようにプレートを切断するために使用されることが意図される。
【００７７】
図１Ａは、本発明に従ったツール２の概略的な斜視上面図を示す。ツール２は、縦軸Ｘを有するロッド部材４と、ロッド部材４に着脱可能に取り付けられるプレート部材６とを備える。プレート部材６はロッド部材４の縦軸Ｘに垂直に延在する縦軸を有する。したがって、ロッド部材４とプレート部材６との間の角度αは９０度である。
【００７８】
ロッド部材４は、ロッド部材４の全長に沿って延在する中央に配置される溝２８が設けられる。ロッド部材４は、第１のスケール部２４及び第２のスケール部２６が設けられる。第１のスケール部２４は、ロッド部材４とプレート部材６との間の角度を示す。本発明の一実施形態では、第１のスケール部２４は、９０度と、ロッド部材４とプレート部材６との間の角度との差を示す。本実施形態では、ロッド部材４とプレート部材６との間の角度が９０度である場合、第１のスケール部２４は０の値を示す。図１では、ロッド部材４とプレート部材６との間の角度αは９０度である。
【００７９】
プレート部材６は、長方形を有し、直線側部Ｓが設けられる。直線側部Ｓは、例えば、図１に示されるマーキングツール４８またはフライス盤８２，８２’を使用することによって、切断線を示すために使用されるように構成される。代替として、直線側部Ｓは、切断手順を補助する（例えば、石膏ボードをナイフで切断する）ために使用できる。直線側部Ｓはプレート部材６の縦軸Ｙに平行に延在する。プレート部材６は、プレート部材６の縦軸Ｙに沿って延在する誘導部材７６が設けられる。誘導部材７６は一定断面積（例えば、長方形断面）を有し得、この理由として、誘導部材７６は押し出しによってプレート部材を生成することを可能にするだろうためである。例えば、プレート部材は、プレート部材が固定断面外形を有するとき、押出プロセスを適用することによって、アルミニウムで生成され得る。誘導部材７６はフライス加工プロセスまたは切断プロセスを誘導するように構成される。
【００８０】
アーム１６は、プレート部材６及びロッド部材４に回転可能に搭載される。アーム１６は、溝２８に摺動可能に配置される角度設定デバイス８に回転可能に取り付けられる。角度設定デバイス８は、角度設定デバイス８をロッド部材４に締めるように構成される回転ノブ１０を備える。角度設定デバイス８は、第１のスケール部２４上で、（９０度に対する）角度または角変位を示すように適合されるポインタ２０を含む。
【００８１】
設定デバイス１２は、ロッド部材４の溝２８に摺動可能に取り付けられる。設定デバイス１２は、プレート部３２と、設定デバイス１２のプレート部３２に回転可能に取り付けられる固定部材１４とを備える。設定デバイス１２は、設定デバイス１２からプレート部材６の側部Ｓまでの距離を設定するために、ロッド部材４上の任意の所望の位置に配置されるように構成される。したがって、ツール２は、設定デバイス１２から所定距離においてプレート構造（図示しない）を切断またはマークするために使用できる。同時に、ロッド部材４とプレート部材６との間の角度αを調節するために、角度設定デバイス８の位置を調節することが可能である。
【００８２】
ロッド部材４は、ロッド部材の遠位端に配置される受容部１８が設けられる。受容部１８は、ロッド部材４の隣に配置される追加ロッド部材４’の対応する挿入部２２を受容するように適合される。これによって、追加ロッド部材４’によって、ロッド部材４を伸長することが可能である。追加ロッド部材４’は、第１のスケール部２４’及び第２のスケール部２６’が設けられ得る。第１のスケール部２４’は、ロッド部材４’とプレート部材６との間の角度を示す。本発明の一実施形態では、第１のスケール部２４’は、９０度と、ロッド部材４’及びプレート部材６との間の角度との差を示す。
【００８３】
ロッド部材４，４’は任意の適切な材料で生成され得る。ロッド部材４，４’を金属（例えば、アルミニウムまたはステンレス鋼）で生成されることで利点をもたらし得る。プレート部材６は、金属、プラスチック、木材、または中質繊維板を含む任意の適切な材料で生成され得る。プレート部材６は透明材料で生成され得る。
【００８４】
図１Ｂは、本発明に従ったツール２のロッド部材４の概略上面断面図を示す。ロッド部材４はセンチメートルスケールが設けられる第２のスケール部２６を含む。ロッド部材４は、さらに、取り付け構造が搭載される中央に配置される溝２８を備える。対応するプレート部材を正しい位置に取り付けることを確実にするために、取り付け構造をこの位置に永久的に固定し得る。
【００８５】
取り付け構造は、磁気材料で作られた周辺円板部材８０から突出する円筒形ピン部材４４を備える。ピン部材４４を基底構造（例えば、摺動ブロック）のねじ部にねじ締めすることを可能にするために、係合溝はピン部材４４に設けられ得る。円板部材８０は、円板部材８０の外径よりもわずかに大きい内径を有する孔に配置される。のりまたは弾力構造は、円板部材８０と円板部材８０を囲む孔との間の間隔７８に設けられ得る。円板部材８０は、プレート部材に中央に配置される穴を囲む周辺構造を磁気的に引き付け及びそれに接して支えるように構成される（図２Ｄ参照）。これによって、プレート部材が周辺構造と円板部材８０との間で磁力によって適所に保持できるように、ロッド部材４をプレート部材に取り付けることが可能である。
【００８６】
図２Ａは、本発明に従ったツール２の別の概略的な斜視上面図を示す。ツール２は、基本的に、図１に示されるものに対応する。ツール２は、プレート状プレート部材６と、プレート部材６に回転可能に取り付けられるロッド部材４とを備える。アーム１６は、プレート部材６及びロッド部材４に回転可能に取り付けられ、ロッド部材４とプレート部材６との間に延在する。アーム１６は、ロッド部材４に中央に配置される溝に摺動可能に取り付けられる角度設定デバイスに回転可能に取り付けられる。ロッド部材４の長さに沿ってアーム１６を摺動させることによって、ロッド部材４とプレート部材６との間の角度を変化させることが可能である。設定デバイス１２は、ロッド部材４の溝に摺動可能に配置される。これによって、設定デバイス１２を使用して、設定デバイス１２から所定距離においてプレート部材の側部に沿ってプレートをマークまたは切断するために、設定デバイス１２の位置を変化させることが可能である。プレート部材６は、プレート部材６の長さに沿って延在する誘導部材７６が設けられる。誘導部材７６はフライス加工プロセスまたは切断プロセスを誘導するように構成される。
【００８７】
図２Ｂは、図２Ａに示されるツールの設定デバイス１２の拡大図を示す。設定デバイス１２は、ロッド部材４の溝２８に配置される摺動ブロック３４に回転可能に取り付けられるノブ３０を備える。設定デバイス１２は貫通孔が設けられるプレート部３２を備え、ノブ３０の一部は貫通孔を通って延在する。設定デバイス１２は、さらに、プレート部３２に回転可能に取り付けられるＬ形固定部材１４を備える。
【００８８】
図２Ｃは、図２Ａに示されるツールのプレート部材６に取り付けられるアーム１６の拡大図を示す。アーム１６は、アーム１６の端部に設けられる対応する円筒形孔内に回転可能に取り付けられる円筒形ピン部材３６によって、プレート部材６に回転可能に取り付けられる。ピン部材３６は、追加穴３８’に対応する穴（図示しない）の中に挿入される。プレート部材６は、さらに、磁気材料または磁化可能材料から作られた周辺構造４２によって囲まれる穴４０を備える。これによって、ロッド部材４は、ピン部材（図２Ｄに示される４４）を穴４０に挿入することによって、プレート部材に回転可能に取り付けできる。穴４０はプレート部材６の縦軸Ｙに沿って配置される。プレート部材６の穴がプレート部材６の縦軸Ｙに対して対称的に配置されるため、プレート部材６は１８０度回転でき、さらに、ロッド部材４及びアーム１６に嵌合する。プレート部材６は長方形の一定断面積を有する誘導部材７６が設けられることが分かり得る。
【００８９】
図２Ｄは、図２Ａに示されるツール２のロッド部材４に取り付けられるプレート部材６の拡大図を示す。ロッド部材４は、周辺構造４２’によって囲まれる穴内に挿入される円筒形ピン部材４４によってプレート部材６に回転可能に取り付けられることが分かり得る。磁気材料または磁化可能材料で作られた周辺構造４２’を適用することによって、プレート部材６が周辺構造４２’とピン部材４４を囲むロッド部材４上の当接構造との間に磁力によって適所に保持できるように、ロッド部材４をプレート部材６に取り付けることが可能である。プレート部材６は、アーム部材のピン部材を受容するように適合される追加穴３８’’，３８’’’を備えることが分かり得る（図２Ｃ参照）。プレート部材６は第１の高さ（厚さ）を有する中央部Ｍを含み、中央部はより低い高さ（薄い厚さ）を有する側部Ｓ，Ｓ’によって囲まれる。プレート部材６は長方形の一定断面積を有する誘導部材７６が設けられることが分かり得る。
【００９０】
図２Ｅは、図２Ａに示されるツール２の角度設定デバイス８の拡大図を示す。角度設定デバイス８はねじ部が設けられるシャフトを有するノブ１０を備え、ねじ部はロッド部材４に設けられる溝２８に配置される摺動ブロック３４’に設けられる対応するねじ孔に係合する。ノブ１０のシャフト４６はアーム部材１６に設けられる孔を通って延在する。したがって、ノブ１０は角度設定デバイス８を締めるために使用でき、これによって、ロッド部材４に角度設定デバイス８を固定位置に固定する。さらに、角度設定デバイス８の位置は、ロッド部材の溝２８に沿って角度設定デバイス８を摺動させることによって変化し得、これは、摺動ブロックが溝２８に摺動可能に配置されているためである。
【００９１】
図３Ａは、プレート５０の端部に取り付けられる固定部材１４を有する設定デバイス１２の拡大図を示す。設定デバイス１２はＬ形固定部材１４を備える凹部が設けられるプレート部３２を備え、Ｌ形固定部材１４は、プレート部３２の端部を通って、凹部を通って、及びさらにＬ形固定部材１４に設けられる孔を通って延在するシャフト５２によってプレート部３２に回転可能に取り付けられる。設定デバイス１２は、プレート部３２に設けられる貫通孔を通って延在する係合構造（例えば、ロッド部材４の溝２８に配置される基底摺動ブロックに設けられる対応するねじ孔に係合するねじ式ロッド構造）を有するノブ３０を備える。設定デバイス１２の位置は、ノブ３０を回転させることによって、ロッド部材４に固定できる。同様に、設定デバイス１２の位置はノブ３０のねじを緩め、ロッド部材４の溝２８に沿って設定デバイス１２を摺動することによって変化し得る。ロッド部材４が角度指標（度単位で測定）で第１のスケール部２４を含むことと、ロッド部材４がプレート部材（図示しない）の遠位側部までの距離を示す第２のスケール部２６（センチメートル単位で測定）を含むこととが分かり得る。図３Ａでは、設定デバイス１２は約９４センチメートルの距離に設定される。したがって、ツールは、プレート５０の端面からの９４センチメートルの距離で、プレート部材（図示しない）の遠位側部でマーキングを行うために設定される。
【００９２】
角度設定デバイス８は、ロッド部材４に摺動可能に取り付けられる。角度設定デバイス８は、溝２８の底部に設けられる対応する受容構造（凹部または孔）と係合するために、変位するように構成されるピンを有するノブ１０を備える。設定デバイス８は、設定デバイス８を摺動ブロック３４’にねじ締めすることによって、角度設定デバイス８をロッド部材４に固定するように構成されるつまみねじ５６を備える。これは、ねじ部を基底摺動ブロック３４’に設けられる対応するねじ式受容部にねじ締めすることによって達成し得る。
【００９３】
設定デバイス８は、ロッド部材４に回転可能に取り付けられるプレート部材（図示しない）に対して、ロッド部材４の相対角変位を示すポインタ２０を含む。第１のスケール部２４は、ロッド部材４がそれに取り付けられるプレート部材（図示しない）に垂直に延在する場合にポインタ２０によって示される角度が０であるように設けられる。ロッド部材４とプレート部材（図示しない）との間の角度が１０度だけ（９０度から１００度に）増加する場合、ポインタは第１のスケール部２４で１０度を示すだろう。図３Ａでは、角度は約０度である。したがって、ツールは、マーキングラインの角度とプレート５０の端部の角度との間の差が約０度であるように、プレート部材（図示しない）の遠位側部でマーキングを行うために設定される。
【００９４】
設定デバイス８は図３Ｂに詳細に示されるロック構造５４を有するノブ１０を備える。アーム１６は、設定デバイス８によってロッド部材４に取り付けられる。
【００９５】
図３Ｂは、本発明に従ったツールの角度設定デバイス８の概略断面図を示す。角度設定デバイス８は、基本的に、図３Ａに示されるものに対応する。角度設定デバイス８は、中央に配置される貫通孔６４が設けられるつまみねじ５６として形成される外側構造を有するノブ１０を備える。角度設定デバイス８は、加えて、ロック構造５４の縦軸Ｚに平行に延在する支持脚５８，５８’が設けられる中央に配置されるロック構造５４を備える。
【００９６】
図３Ｂでは、支持脚５８，５８’はつまみねじ５６の支持部によって支持される。しかしながら、つまみねじ５６の支持部は支持脚５８，５８’を受容するように構成される複数の孔が設けられ、それによって、ロック構造５４は基底ロッド部材４に向かって（縦軸Ｚに沿って）垂直に変位する。つまみねじ５６は、対応する係合構造（図示しない）によって基底摺動ブロック３４’にねじ締めされるように構成される。ピン６２はロッド部材４に設けられる凹部６６で変位し、角度設定デバイス８はロッド部材４に固定される。ピン６２はロック構造５４の中央部６０に取り付けられる。
【００９７】
アーム１６は摺動ブロック３４’に回転可能に取り付けられ、孔を囲むリング部材６８を備え、ピン６２は孔を通って変位するように適合される。
【００９８】
ロッド部材４は、所定角度の値でいくつかの凹部６６を含み得る。これによって、容易に及びユーザが利用しやすいように、角度設定デバイス８をこれらの所定の角度位置（例えば、０度、１１．２５度、２２．５度、及び４５度）に設定することが可能である。
【００９９】
図３Ｂが概略的例示であることと、角度設定デバイス８のつまみねじ５６を摺動ブロック３４’に固定するように適合される係合構造を図示しないこととを強調することは重要である。これらの係合構造は、つまみねじ５６及び摺動ブロック３４’に設けられる対応するねじ式円筒形構造として形成され得る。
【０１００】
図４Ａは、本発明に従ったツールの角度設定デバイス８の断面図を示し、角度設定デバイス８はロックピン６４がロッド部材４に設けられる凹部６６の上方を上昇する構成である。図４Ｂは別の構成で図４Ａに示される角度設定デバイス８の断面図を示し、図４Ｃはロックピン６２がロッド部材４の対応する凹部６６に係合する構成で図４Ａ及び図４Ｂに示される角度設定デバイス８の断面図を示す。ピン６２はロック構造５４の縦軸Ｚに沿って移動している。
【０１０１】
図４Ａに示される構成では、ロック構造５４はロッド部材４に設けられる凹部６６と係合しない。したがって、摺動ブロック３４’はロッド部材４の溝及び長さに沿って摺動できる。つまみねじ５６の係合構造（図示しない）が摺動ブロック３４’の対応する係合構造に係合する場合、角度設定デバイス８はロッド部材４に固定され得る。
【０１０２】
図４Ａ及び図４Ｂを比較するとき、ロック構造５４がロック構造５４の縦軸Ｚに対して回転していることと、支持脚５８，５８’がつまみねじ５６の中央部に設けられる孔（図示しない）によって部分的に受容されていることとが分かり得る。図４Ｂでは、ピン６２はロッド部材に寄り掛かっている。本構成では、摺動ブロックはロッド部材４の長さに沿って摺動し得る。
【０１０３】
図４Ｃでは、ピン６２はロック構造５４の縦軸Ｚに沿って移動しており、支持脚５８，５８’はつまみねじ５６の中央部の孔によって十分に受容されている。したがって、ロックピン６２はロッド部材４の凹部６６に係合する。したがって、角度設定デバイス８及びノブ１０はロッド部材４に固定される。ロック構造５４は、支持脚５８，５８’をつまみねじ５６の中央部の支持構造上に配置するために、ロック構造５４の縦軸Ｚに沿って上向きにロック構造５４を変位させ、その後、ロック構造５４の縦軸Ｚを中心にロック構造５４を回転させることによって、ロッド部材４の凹部６６との係合から外されることができる。
【０１０４】
図４Ｄは、ロッド部材４と、ロッド部材４に摺動可能に取り付けられる角度設定デバイス８との上面断面図を示す。ロッド部材４は、プレート部材（図示しない）の縦軸（図示しない）に垂直な方向に対して、ロッド部材４の角変位を示す第１のスケール部２４を含むことが分かり得る。ロッド部材４は、さらに、センチメートルスケールが設けられる第２のスケール部２６を含む。中央に配置される溝２８はロッド部材４の長さに沿って延在する。
【０１０５】
角度設定デバイス８は、ロック構造５４を囲むつまみねじ５６を有するノブ１０に摺動可能に搭載される中央に配置されるロック構造５４を備える。アーム１６は、前述に言及した角変位を示すポインタ２０が設けられる摺動ブロック３４’によって、ロッド部材４に回転可能に及び摺動可能に取り付けられる。
【０１０６】
図５Ａは、本発明に従ったツールの角度設定デバイス８の斜視拡大図を示し、角度設定デバイス８はロックピン６４がロッド部材４に設けられる凹部の上方を上昇する構成である。他方では、図５Ｂは、ロックピンがロッド部材４に設けられる凹部に係合する構成で図５Ａに示される角度設定デバイス８の斜視拡大図を示す。
【０１０７】
図５Ａでは、支持脚５８，５８’がつまみねじ５６の中央部の支持構造７４に載ることと、孔７２が支持構造７４に設けられることとが分かり得る。ポインタ２０は、ロッド部材４とプレート部材（図示しない）に垂直な方向との間の角度が０度であることを示す。
【０１０８】
図５Ｂでは、支持脚５８，５８’が、つまみねじ５６の中央部の支持構造の孔内に部分的に挿入されることが分かり得る。したがって、ロック構造５４は、ロック構造５４の縦軸Ｚに沿って下向きに変位している。ロックピン（図４Ａ、図４Ｂ、または図４Ｃ参照）がロッド部材４の凹部の上方に位置付けられる場合、ロックピンは凹部によって受容され、角度設定デバイス８はこの位置に固定される。角度設定デバイス８は、ロック構造５４及びロックピンを持ち上げ、ロック構造５４を回転させることによってロック解除構成になり得、これにより、支持脚５８，５８’は（図５Ａに示されるような）支持構造７４に載る。
【０１０９】
図６Ａは第１のプレート５０を切断するために使用される本発明に従ったツール２の概略上面図を示し、図６Ｂは別のプレート５０を切断するために使用される図６Ａに示されるツール２の概略上面図を示す。
【０１１０】
ツール２は、ロッド部材４の長さに沿って延在する溝が設けられるロッド部材４を備える。さらに、ツール２は、対応する穴を通って延在するピン部材４４によってロッド部材４に回転可能に取り付けられるプレート部材６を備える。したがって、ピン部材４４は、ロッド部材４とプレート部材６との間で角度αだけ変化させるためにプレート部材が回転し得るシャフトを構成する。
【０１１１】
ツール２は、ピン部材３６によってプレート部材６に及びロッド部材４に取り付けられる角度設定デバイス８によってロッド部材４に、回転可能に取り付けられるアーム１６を備える。設定デバイス１２は、ロッド部材４上に移動可能に搭載される。設定デバイス１２はプレート５０に接して支え、これによって、プレート５０の端部からプレート部材６までの距離ｄ２を画定する。設定デバイス１２をロッド部材４上の関連位置に位置付けることによって、距離ｄ２を画定することが可能である。
【０１１２】
図６Ｂに分かり得るように、ロッド部材４とプレート部材６との間の角度βはロッド部材４の長さに沿って角度設定デバイス８を変位させることによって変化し得る。さらに、設定デバイス１２の位置を変化させることによって、図６Ｂに示される第１の距離ｄ１及び第２の距離ｄ２を変化させることが可能である。
【０１１３】
ツール２が所望の位置／設定に設定されているとき、切断ツール７０（例えば、ナイフ）によってプレート５０を切断する、またはマーキングツール（例えば、鉛筆）によってプレート５０をマークすることが可能である。
【０１１４】
プレート部材６は、プレート部材６の全長に沿って延在する誘導部材７６が設けられることが分かり得る。
【０１１５】
図７Ａは、本発明に従ったプレート部材６の概略端面図を示す。プレート部材６は長方形の一定断面積を有する誘導部材７６が設けられることが分かり得る。ゴムで作られた弾力部材８４はプレート部材６の側部Ｓに取り付けられる。ゴムで作られた弾力部材８４は、プレートが（例えば、丸のこぎりを使用することによって）切断手順中に擦り切れることを防止する。弾力部材８４はプレート部材６に着脱可能に取り付けられる。これによって、弾力部材８４は摩耗した場合に交換できる。弾力部材８４はプレート部材６に設けられる受容溝内に挿入される。
【０１１６】
反対側部Ｓ’は任意の追加構造が設けられていない。この反対側部Ｓ’は、ナイフによって構造（例えば、石膏ボード）を切断するときに、またはマーキングツール（例えば、鉛筆）を使用するときに使用されるように適合される。
【０１１７】
図７Ｂは、本発明に従ったプレート部材４の概略端面図を示す。ロッド部材４の長さに沿って延在する溝は、ロッド部材４の中央に設けられる。摺動ブロック３４は溝内に挿入されている。アーム１６は、つまみねじ５６及びロック構造５４を有する角度設定デバイス８によって、ロッド部材４に取り付けられる。ロッド部材６の溝のベースプレート８６は、所定の角度位置に対応する所定位置（例えば、ポインタ（図示しない）が、例えば、０度、１１．２５度、２２．５度、及び４５度等のいくつかの所定の値に対応する所定角度の値を示す角度位置）で１つ以上の凹部が設けられる。角度設定デバイス８は、角度設定デバイス８を所定の角度位置にロックするために、凹部内に挿入されるように配置及び構成されるピン部材（図示しない）を備える。
【符号の説明】
【０１１８】
２  ツール
４，４’  ロッド部材
６  プレート部材
８  角度設定デバイス
１０  ノブ
１２  設定デバイス
１４  固定部材
１６  アーム
１８  受容部（雌部）
２０  ポインタ
２２  挿入部（雄部）
２４，２４’，２６，２６’  スケール部
２８  溝
３０  ノブ
３２  プレート部
３４，３４’  摺動ブロック
３６  ピン部材
３８，３８’，３８’，３８’’’  孔
４０，４０’  孔
４２，４２’  周辺構造
４４  ピン部材
４６  シャフト
４８  マーキングツール
５０  プレート
５２  シャフト
５４  ロック構造
５６  つまみねじ
５８，５８’  支持脚
６０  中央部
６２  ピン
６４  孔
６６  凹部
６８  リング部材
７０  切断ツール
７２  孔
７４  支持構造
７６  誘導部材
７８  間隔
８０  円板部材
８２，８２’  フライス盤
８４  弾性部材
８６  ベースプレート
Ｘ，Ｙ，Ｚ  軸
Ｓ，Ｓ’  側部
Ｍ  中央部
α，β  角度
ｄ１，ｄ２  距離
【図１Ａ】
2021517075.tif 000003
【図１Ｂ】
2021517075.tif 000004
【図２Ａ−２Ｅ】
2021517075.tif 000005
【図３Ａ】
2021517075.tif 000006
【図３Ｂ】
2021517075.tif 000007
【図４Ａ−４Ｃ】
2021517075.tif 000008
【図４Ｄ】
2021517075.tif 000009
【図５Ａ】
2021517075.tif 000010
【図５Ｂ】
2021517075.tif 000011
【図６Ａ】
2021517075.tif 000012
【図６Ｂ】
2021517075.tif 000013
【図７Ａ】
2021517075.tif 000014
【図７Ｂ】
2021517075.tif 000015
【手続補正書】
【提出日】令和2年3月3日(2020.3.3)
【手続補正１】
【補正対象書類名】明細書
【補正対象項目名】全文
【補正方法】変更
【補正の内容】
【発明の詳細な説明】
【技術分野】
【０００１】
本発明は、所定の様式で構造をマークまたは切断するプロセスを補助するためのツールを開示する。本発明は、より具体的には、所定の長さ及び所定の角度になるように、プレート等の構造をマークまたは切断するプロセスを補助するためのツールに関する。
【背景技術】
【０００２】
例えば、建築の目的のためにプレート構造を使用する必要があるとき、通常、構造の長さを短くし、及び／または構造の隣接する側部の間の角度の間を変化させる必要がある。したがって、いくつかのツールは、所定の様式で構造をマークまたは切断するプロセスを補助するために提案されている。一般的に、これらのツールは、測定ロッドと、測定ロッドに回転可能に取り付けられるプレート部材とを備える。一般的に、先行技術のツールは、プレート部材がロッド部材に永久的に取り付けられる場合、組み立て及び分解が困難であり時間がかかる、または多くの空間を占有する。この理由のために、先行技術のツールはユーザが利用しやすくない。
【０００３】
先行技術のツールは国際公開第２０１４／１２１６９８号に開示され、スライダーが溝の長さに沿って移動するように提供及び適合される縦方向の貫通溝をそれぞれ備える定規のセットが開示され、それによって、各スライダーはプラグポストと反対側のソケット穴とを備え、それにより、一方のスライドのプラグポストは、隣接するスライダーのソケット穴内に導入され、ソケット穴と組み立てられるのを維持し得、それによって、磁石は、隣接するスライダーの間の磁力によって接続を維持するためのソケット穴に設けられる。スライダーが磁力によって強く相互接続される一方、定規はそうではなく、ひいては相互に対して摺動すること及び回ることの両方を行い得るために、ツールは線を引くまたは切断するのに使用できない。
【０００４】
米国特許第５４３８７６１号明細書では、三角測量構成が開示されており、定規は第２の伸長部材に摺動自在に接続され、磁気部材はスライダー部材と定規との間に接触を維持するために設けられる。アームは伸長部材と定規との間に設けられるが、定規及び伸長部材から容易に着脱できない。
【０００５】
米国特許出願公開第２００３／０４１４６７号明細書では、一方の斜辺足の２つの対向端で移動可能ジョイントと、２つの非斜辺脚を一緒に留めるために第３のジョイントで磁気挿入部がある開閉式ジョイントとを備える折り畳み式三角形が示されている。いったん磁気挿入部が第３のジョイントで接合すると、三角形は動かなくなり、角度の調節ができなくなる。
【０００６】
米国特許第５６０３１６４号明細書では、所定の様式で構造をマークまたは切断するプロセスを補助するためのツールが示されており、ツールは、縦軸を有するロッド部材と、ロッド部材に回転可能に取り付けられるプレート部材と、ロッド部材に取り付けられ、プレート部材に取り付けられるアームとを備え、プレート部材はジョイントを備える構造によってロッド部材に回転可能に取り付けられる。このツールは、分解または再組み立てが容易にできない。
【０００７】
したがって、先行技術の上述の不利点を減らすまたはなくすツールの必要性がある。
【先行技術文献】
【特許文献】
【０００８】
【特許文献１】国際公開第２０１４／１２１６９８号
【特許文献２】米国特許第５４３８７６１号明細書
【特許文献３】米国特許出願公開第２００３／０４１４６７号明細書
【特許文献４】米国特許第５６０３１６４号明細書
【発明の概要】
【発明が解決しようとする課題】
【０００９】
本発明の目的は、所定の様式で構造をマークまたは切断するプロセスを補助するためのツールを提供することであり、ツールは組み立て及び分解することが容易に及び速くなり、ツールは分解するときに多くの空間を占有しない。
【課題を解決するための手段】
【００１０】
本発明の目的は、請求項１に定義されるようなツールによって達することができる。好ましい実施形態は従属下位クレームに定義され、以下の記述に説明され、添付図に示される。
【００１１】
本発明に従ったツールは、所定の様式で構造をマークまたは切断するプロセスを補助するためのツールであり、ツールは、縦軸を有するロッド部材と、ロッド部材に回転可能に取り付けられるプレート部材とを備え、ツールはロッド部材及びプレート部材に取り外し可能に取り付けられるアームを備え、プレート部材は、ジョイントと１つ以上の磁気構造または磁化可能構造とを備える構造によってロッド部材に回転可能に取り付けられ、１つ以上の磁気構造または磁化可能構造はロッド部材とプレート部材との間に磁力を提供するように構成され、１つ以上の磁気構造または磁化可能構造はアームとプレート部材との間に磁力を提供するように構成される。
【００１２】
これによって、所定の様式で構造をマークまたは切断するプロセスを補助するためのツールを提供することが可能であり、ツールは組み立てる及び分解することが容易に及び速くなる。
【００１３】
ツールは、所定の様式で構造をマークまたは切断するプロセスを補助するために使用されることが意図される。ツールは、所定の様式で石膏ボードまたは合板を切断するために、それらをマークアップするために使用できる。ツールは、また、誘導構造としてプレート部材を使用することによって、プレートを切断するために使用され得、切断ツールは、プレート部材の側部に沿ってプレートを移動させることによって切断するために使用できる。
【００１４】
ツールは、縦軸を有するロッド部材と、ロッド部材に回転可能に取り付けられるプレート部材とを備える。ロッド部材は任意の適切なサイズ及び幾何学形状を有し得る。ロッド部材は一定断面積を有する細長い構造であり得る。ロッド部材は基本的な箱型であり得る。
【００１５】
プレート部材は任意の適切なサイズ及び幾何学形状を有し得る。プレート部材は一定断面積を有する細長い構造であり得る。プレート部材は平箱として成形され得る。プレート部材は対称であることで利点をもたらし得る。プレート部材は長方形断面を有し得る。
【００１６】
ツールは、ロッド部材及びプレート部材に取り外し可能に取り付けられるアームを備える。本発明に従った好ましい実施形態では、アームはロッド部材及びプレート部材に回転可能に取り付けられる。
【００１７】
アームは、ジョイントと、アームとプレート部材との間に磁力を提供するように構成される１つ以上の磁気構造または磁化可能構造とを備える構造によってプレート部材に回転可能に取り付けられ得る。
【００１８】
これによって、ツールは、速く及び容易な様式で組み立てられ及び設定されることができる。
【００１９】
プレート部材は、ジョイントと、ロッド部材とプレート部材との間に磁力を提供するように構成される１つ以上の磁気構造または磁化可能構造とを備える構造によってロッド部材に回転可能に取り付けられる。
【００２０】
磁力は、ロッド部材及びプレート部材が磁力によって一緒に保持されることを確実にする。さらに、磁力は、プレート部材へのロッド部材の取り付けを容易にする。
【００２１】
プレート部材は対応する受容部内に挿入される円筒形ピン部材を備えるピボットジョイントによってロッド部材に回転可能に取り付けられることで利点をもたらし得る。
【００２２】
これによって、ロッド部材はプレート部材に容易に取り付けできる。さらに、安定性の高い及び信頼性のある構成を提供できる。
【００２３】
本発明の一実施形態では、ピン部材はロッド部材に取り付けられ、孔を有する対応する構造はプレート部材に設けられる。
【００２４】
本発明の別の実施形態では、ピン部材はプレート部材に取り付けられ、孔を有する対応する構造はロッド部材に設けられる。
【００２５】
円筒形ピン部材は少なくとも部分的に磁気材料または磁化可能材料で作られた構造（好ましくは平面構造）によって囲まれ、受容部は構造と接触するように配置及び構成され、構造及び受容部は、構造及び受容部が磁力によって相互に引き付けられることを確実にする材料で作られることで利点をもたらし得る。
【００２６】
これによって、プレート部材にロッド部材を取り付ける単純で、信頼性があり、ユーザが利用しやすい方法を提供することが可能である。
【００２７】
ツールはロッド部材に取り外し可能に取り付けられる設定デバイスを備え、設定デバイスは設定デバイスに移動可能に取り付けられる固定部材を備えることで有益になり得る。
【００２８】
これによって、設定デバイスはロッド部材上の所望の位置に配置され、それによって、プレート部材は所定の様式で構造をマークまたは切断するために使用できる。
【００２９】
設定デバイスは設定デバイスに回転可能に取り付けられる固定部材を備え得る。
【００３０】
ツールは、ロッド部材（例えば、ロッド部材に設けられる溝）に摺動可能に取り付けられる設定デバイスを備えることで利点をもたらし得る。
【００３１】
設定デバイスは、プレート部と、プレート部に回転可能に取り付けられるＬ形固定部材とを備えることで利点をもたらし得る。
【００３２】
これによって、Ｌ形固定部材はマークまたは切断される構造の端部と係合して当接できる。これによって、切断またはマークされる構造は設定デバイスに対して固定位置に維持できる。
【００３３】
設定デバイスは凹部が設けられるプレート部を備えることと、Ｌ形固定部材はＬ形固定部材の少なくとも一部が凹部に配置される位置になるように構成されることとにより利点をもたらし得る。
【００３４】
固定部材がプレート部の端部を通って、凹部を通って、及びさらにＬ形固定部材に設けられる孔を通って延在するシャフトによって設定デバイスのプレート部に回転可能に取り付けられることで有益になり得る。
【００３５】
ツールは、ロッド部材に取り外し可能に取り付けられる角度設定デバイスを備えることで利点をもたらし得る。
【００３６】
これによって、角度設定デバイスは、ロッド部材上でアームの取り付け位置を変化させるために使用できる。したがって、ロッド部材とプレート部材との間の角度は、角度設定デバイスを使用することによって変化し得る。
【００３７】
ツールは、ロッド部材に摺動可能に取り付けられる角度設定デバイスを備えることで利点をもたらし得る。
【００３８】
これによって、角度設定デバイスは、ロッド部材の長さに沿って、例えば、ロッド部材の長さに沿って延在するロッド部材に設けられる溝に沿って、角度設定デバイスを摺動させることによって、ロッド部材上でアームの取り付け位置を変化させるために使用できる。したがって、ロッド部材とプレート部材との間の角度は、角度設定デバイスを摺動させることによって変化し得る。
【００３９】
角度設定デバイスはロッド部材に設けられる対応する係合構造と（ロックして）係合するように構成される係合構造を備えるロック構造を備えることで利点をもたらし得る。
【００４０】
これによって、ロック構造は、角度設定デバイスを１つ以上の所定位置にロッド部材に固定するために使用できる。これは、１つ以上の所定の角度設定が他よりも頻繁である場合に利点をもたらし得る。
【００４１】
ロック構造は、雌部として形成されロッド部材に設けられる対応する係合構造によって受容されるように構成される雄部として形成される係合構造を備えることで利点をもたらし得る。
【００４２】
これによって、単純及び信頼性のある構成を提供できる。
【００４３】
本発明に従った一実施形態では、ロック構造はロッド形ピン部材として形成される係合構造を備え、ロック構造は角度設定デバイスの別の構造に摺動可能に取り付けられる。
【００４４】
これによって、使用するのに容易である単純、強力、及び信頼性のある構成を提供することが可能である。
【００４５】
角度設定デバイスは、つまみねじと、つまみねじの中央部の支持構造上に載るように構成される支持脚を備えるロック構造とを備え、支持脚を受容するように適合されるいくつかの孔は支持構造に設けられることで利点をもたらし得る。
【００４６】
これによって、単純な手段を使用することによって、支持構造に対してロック構造を変位させることが可能である。
【００４７】
ロック構造がロック構造の縦軸に沿って（ロッド部材に向かって）変位するとき、孔は支持脚を受容するように構成されることで有益になり得る。
【００４８】
ロック構造は角度設定デバイスに回転可能に配置されることと、支持構造の孔はその縦軸を中心とするロック構造の回転により支持脚を孔と係合させることができるように配置されることと、によって利点をもたらし得る。
【００４９】
これによって、使用するのに容易である単純構成を提供することが可能である。
【００５０】
ロッド部材は第１のスケール部が設けられることで利点をもたらし得る。第１のスケール部は、ロッド部材の縦軸またはロッド部材に垂直な方向に対するプレート部材の角度位置を示すように設けられ得る。第１のスケール部は、プレート部材からロッド部材上に取り付けられる設定デバイスまでの距離を示すために設けられ得る。
【００５１】
ロッド部材は第２のスケール部が設けられることで利点をもたらし得る。第２のスケール部は、ロッド部材の縦軸またはロッド部材に垂直な方向に対するプレート部材の角度位置を示すように設けられ得る。第２のスケール部は、プレート部材からロッド部材上に取り付けられる設定デバイスまでの距離を示すために設けられ得る。
【００５２】
本発明に従った一実施形態では、第１のスケール部はロッド部材とプレート部材との間の角度を示す。
【００５３】
本発明の一実施形態では、第１のスケール部は、９０度と、ロッド部材とプレート部材との間の角度との差を示す。本実施形態では、ロッド部材とプレート部材との間の角度が９０度である場合、第１のスケール部は０の値を示す。
【００５４】
角度設定デバイスは、第１のスケール部上で、（９０度に対する）角度または角変位を示すように適合されるポインタを含むことで利点をもたらし得る。
【００５５】
ロッド部材は所定位置に１つ以上の凹部が設けられることで有益になり得る。
【００５６】
これらの所定位置は所定の角度位置（例えば、ポインタが例えばいくつかの所定の値に対応する所定角度の値を示す角度位置）に対応することで利点をもたらし得る。
【００５７】
ロッド部材は、所定角度の値でいくつかの凹部を含み得る。これによって、容易に及びユーザが利用しやすいように、角度設定デバイスをこれらの所定の角度位置（例えば、０度、１１．２５度、２２．５度、及び４５度）に設定することが可能である。
【００５８】
本発明に従った好ましい実施形態では、ツールは、ロッド部材に摺動可能に取り付けられる角度設定デバイスを備える。角度設定デバイスは、溝の底部に設けられる対応する受容構造（凹部または孔）と係合するために、変位するように構成されるピンを有するノブを備える。
【００５９】
溝は、ロッド部材の長さに沿って、好ましくはロッド部材の全長に沿って延在することで利点をもたらし得る。
【００６０】
これによって、容易な様式で、１つ以上の構造をロッド部材に摺動可能に取り付け、これらの構造をロッド部材に締めることが可能である。
【００６１】
ツールは、ロッド部材の溝に摺動可能に配置される１つ以上の摺動ブロックを備えることで有益になり得る。
【００６２】
これによって、摺動ブロックは溝に配置され、１つ以上の構造（例えば、角度設定デバイス及び設定デバイス）を所定位置に位置付けるために摺動可能に変位できる。
【００６３】
プレート部材は、プレート部材の縦軸に沿って配置される穴が設けられることで利点をもたらし得る。
【００６４】
これによって、プレート部材を回し（プレート部材を１８０度回転させ）、さらに、プレート部材をロッド部材に取り付けることが可能である。
【００６５】
追加穴はプレート部材に設けられ、追加穴はプレート部材の縦軸に対して対称的に設けられることで有益になり得る。
【００６６】
これによって、プレート部材を回し（プレート部材を１８０度回転させ）またはプレート部材を変位させ、さらに、プレート部材をアーム部材に取り付けることが可能である。
【００６７】
ツールは、ロッド部材の対応する取り付け構造と係合するように適合される取り付け構造が設けられる追加ロッド部材を備えることで利点をもたらし得る。
【００６８】
これによって、ロッド部材の長さは延在できる。これは、長いプレート等の長い構造を扱うとき利点をもたらし得る。
【００６９】
ロッド部材は、ロッド部材の遠位端に配置される受容部が設けられ得る。受容部は、ロッド部材の隣に配置される追加ロッド部材の対応する挿入部を受容するように適合され得る。
【００７０】
これによって、追加ロッド部材４によって、ロッド部材を伸長することが可能である。
【００７１】
追加ロッド部材は第１のスケール部及び第２のスケール部が設けられ得る。第１のスケール部はロッド部材とプレート部材との間の角度を示し得る。本発明の一実施形態では、第１のスケール部は、９０度と、ロッド部材とプレート部材との間の角度との差を示す。
【００７２】
ロッド部材は任意の適切な材料で生成され得る。ロッド部材はプラスチック材料、木材で、または金属（例えば、アルミニウムまたはスチール）で生成されることで利点をもたらし得る。
【００７３】
プレート部材は任意の適切な材料で生成され得る。プレート部材はプラスチック材料、木材で、または金属（例えば、アルミニウムまたはスチール）で生成されることで利点をもたらし得る。
【００７４】
本発明は、下記に本明細書で与えられる詳細な説明からより十分に理解される。添付図は単なる例示として与えられ、ひいては、その図は本発明に限定されるわけではない。
【図面の簡単な説明】
【００７５】
【図１Ａ】本発明に従ったツールの概略的な斜視上面図を示す。
【図１Ｂ】本発明に従ったツールのロッド部材の概略上面断面図を示す。
【図２Ａ】本発明に従ったツールの別の斜視上面図を示す。
【図２Ｂ】図２Ａに示されるツールの設定デバイスの拡大図を示す。
【図２Ｃ】図２Ａに示されるツールのプレート部材に取り付けられるアームの拡大図を示す。
【図２Ｄ】図２Ａに示されるツールのロッド部材に取り付けられるプレート部材の拡大図を示す。
【図２Ｅ】図２Ａに示されるツールの角度設定デバイスの拡大図を示す。
【図３Ａ】プレートの端部に取り付けられる固定部材を伴う設定デバイスの拡大図を示す。
【図３Ｂ】本発明に従ったツールの角度設定デバイスの概略断面図を示す。
【図４Ａ】本発明に従ったツールの角度設定デバイスの断面図を示し、角度設定デバイスはロックピンがロッド部材に設けられる凹部の上方を上昇する構成である。
【図４Ｂ】別の構成で図４Ａに示される角度設定デバイスの断面図を示す。
【図４Ｃ】ロックピンがロッド部材の対応する凹部に係合する構成で図４Ａ及び図４Ｂに示される角度設定デバイスの断面図を示す。
【図４Ｄ】ロッド部材と、ロッド部材に摺動可能に取り付けられる角度設定デバイスとの上面断面図を示す。
【図５Ａ】本発明に従ったツールの角度設定デバイスの斜視拡大図を示し、角度設定デバイスはロックピンがロッド部材に設けられる凹部の上方を上昇する構成である。
【図５Ｂ】ロックピンがロッド部材に設けられる凹部に係合する別の構成で図５Ａに示される角度設定デバイスの斜視拡大図を示す。
【図６Ａ】第１のプレートを切断するために使用される本発明に従ったツールの概略上面図を示す。
【図６Ｂ】別のプレートを切断するために使用される図６Ａに示されるツールの概略上面図を示す。
【図７Ａ】本発明に従ったプレート部材の概略端面図を示す。
【図７Ｂ】本発明に従ったロッド部材の概略端面図を示す。
【発明を実施するための形態】
【００７６】
ここで、本発明の好ましい実施形態を示す目的のために詳細に図面を参照すると、本発明のツール２は図１に示される。ツール２は、所望の長さ及び角度になるようにプレートを切断するために使用されることが意図される。
【００７７】
図１Ａは、本発明に従ったツール２の概略的な斜視上面図を示す。ツール２は、縦軸Ｘを有するロッド部材４と、ロッド部材４に着脱可能に取り付けられるプレート部材６とを備える。プレート部材６はロッド部材４の縦軸Ｘに垂直に延在する縦軸を有する。したがって、ロッド部材４とプレート部材６との間の角度αは９０度である。
【００７８】
ロッド部材４は、ロッド部材４の全長に沿って延在する中央に配置される溝２８が設けられる。ロッド部材４は、第１のスケール部２４及び第２のスケール部２６が設けられる。第１のスケール部２４は、ロッド部材４とプレート部材６との間の角度を示す。本発明の一実施形態では、第１のスケール部２４は、９０度と、ロッド部材４とプレート部材６との間の角度との差を示す。本実施形態では、ロッド部材４とプレート部材６との間の角度が９０度である場合、第１のスケール部２４は０の値を示す。図１では、ロッド部材４とプレート部材６との間の角度αは９０度である。
【００７９】
プレート部材６は、長方形を有し、直線側部Ｓが設けられる。直線側部Ｓは、例えば、図１に示されるマーキングツール４８またはフライス盤８２，８２’を使用することによって、切断線を示すために使用されるように構成される。代替として、直線側部Ｓは、切断手順を補助する（例えば、石膏ボードをナイフで切断する）ために使用できる。直線側部Ｓはプレート部材６の縦軸Ｙに平行に延在する。プレート部材６は、プレート部材６の縦軸Ｙに沿って延在する誘導部材７６が設けられる。誘導部材７６は一定断面積（例えば、長方形断面）を有し得、この理由として、誘導部材７６は押し出しによってプレート部材を生成することを可能にするだろうためである。例えば、プレート部材は、プレート部材が固定断面外形を有するとき、押出プロセスを適用することによって、アルミニウムで生成され得る。誘導部材７６はフライス加工プロセスまたは切断プロセスを誘導するように構成される。
【００８０】
アーム１６は、プレート部材６及びロッド部材４に回転可能に搭載される。アーム１６は、溝２８に摺動可能に配置される角度設定デバイス８に回転可能に取り付けられる。角度設定デバイス８は、角度設定デバイス８をロッド部材４に締めるように構成される回転ノブ１０を備える。角度設定デバイス８は、第１のスケール部２４上で、（９０度に対する）角度または角変位を示すように適合されるポインタ２０を含む。
【００８１】
設定デバイス１２は、ロッド部材４の溝２８に摺動可能に取り付けられる。設定デバイス１２は、プレート部３２と、設定デバイス１２のプレート部３２に回転可能に取り付けられる固定部材１４とを備える。設定デバイス１２は、設定デバイス１２からプレート部材６の側部Ｓまでの距離を設定するために、ロッド部材４上の任意の所望の位置に配置されるように構成される。したがって、ツール２は、設定デバイス１２から所定距離においてプレート構造（図示しない）を切断またはマークするために使用できる。同時に、ロッド部材４とプレート部材６との間の角度αを調節するために、角度設定デバイス８の位置を調節することが可能である。
【００８２】
ロッド部材４は、ロッド部材の遠位端に配置される受容部１８が設けられる。受容部１８は、ロッド部材４の隣に配置される追加ロッド部材４’の対応する挿入部２２を受容するように適合される。これによって、追加ロッド部材４’によって、ロッド部材４を伸長することが可能である。追加ロッド部材４’は、第１のスケール部２４’及び第２のスケール部２６’が設けられ得る。第１のスケール部２４’は、ロッド部材４’とプレート部材６との間の角度を示す。本発明の一実施形態では、第１のスケール部２４’は、９０度と、ロッド部材４’及びプレート部材６との間の角度との差を示す。
【００８３】
ロッド部材４，４’は任意の適切な材料で生成され得る。ロッド部材４，４’を金属（例えば、アルミニウムまたはステンレス鋼）で生成されることで利点をもたらし得る。プレート部材６は、金属、プラスチック、木材、または中質繊維板を含む任意の適切な材料で生成され得る。プレート部材６は透明材料で生成され得る。
【００８４】
図１Ｂは、本発明に従ったツール２のロッド部材４の概略上面断面図を示す。ロッド部材４はセンチメートルスケールが設けられる第２のスケール部２６を含む。ロッド部材４は、さらに、取り付け構造が搭載される中央に配置される溝２８を備える。対応するプレート部材を正しい位置に取り付けることを確実にするために、取り付け構造をこの位置に永久的に固定し得る。
【００８５】
取り付け構造は、磁気材料で作られた周辺円板部材８０から突出する円筒形ピン部材４４を備える。ピン部材４４を基底構造（例えば、摺動ブロック）のねじ部にねじ締めすることを可能にするために、係合溝はピン部材４４に設けられ得る。円板部材８０は、円板部材８０の外径よりもわずかに大きい内径を有する孔に配置される。のりまたは弾力構造は、円板部材８０と円板部材８０を囲む孔との間の間隔７８に設けられ得る。円板部材８０は、プレート部材に中央に配置される穴を囲む周辺構造を磁気的に引き付け及びそれに接して支えるように構成される（図２Ｄ参照）。これによって、プレート部材が周辺構造と円板部材８０との間で磁力によって適所に保持できるように、ロッド部材４をプレート部材に取り付けることが可能である。
【００８６】
図２Ａは、本発明に従ったツール２の別の概略的な斜視上面図を示す。ツール２は、基本的に、図１に示されるものに対応する。ツール２は、プレート状プレート部材６と、プレート部材６に回転可能に取り付けられるロッド部材４とを備える。アーム１６は、プレート部材６及びロッド部材４に回転可能に取り付けられ、ロッド部材４とプレート部材６との間に延在する。アーム１６は、ロッド部材４に中央に配置される溝に摺動可能に取り付けられる角度設定デバイスに回転可能に取り付けられる。ロッド部材４の長さに沿ってアーム１６を摺動させることによって、ロッド部材４とプレート部材６との間の角度を変化させることが可能である。設定デバイス１２は、ロッド部材４の溝に摺動可能に配置される。これによって、設定デバイス１２を使用して、設定デバイス１２から所定距離においてプレート部材の側部に沿ってプレートをマークまたは切断するために、設定デバイス１２の位置を変化させることが可能である。プレート部材６は、プレート部材６の長さに沿って延在する誘導部材７６が設けられる。誘導部材７６はフライス加工プロセスまたは切断プロセスを誘導するように構成される。
【００８７】
図２Ｂは、図２Ａに示されるツールの設定デバイス１２の拡大図を示す。設定デバイス１２は、ロッド部材４の溝２８に配置される摺動ブロック３４に回転可能に取り付けられるノブ３０を備える。設定デバイス１２は貫通孔が設けられるプレート部３２を備え、ノブ３０の一部は貫通孔を通って延在する。設定デバイス１２は、さらに、プレート部３２に回転可能に取り付けられるＬ形固定部材１４を備える。
【００８８】
図２Ｃは、図２Ａに示されるツールのプレート部材６に取り付けられるアーム１６の拡大図を示す。アーム１６は、アーム１６の端部に設けられる対応する円筒形孔内に回転可能に取り付けられる円筒形ピン部材３６によって、プレート部材６に回転可能に取り付けられる。ピン部材３６は、追加穴３８’に対応する穴（図示しない）の中に挿入される。プレート部材６は、さらに、磁気材料または磁化可能材料から作られた周辺構造４２によって囲まれる穴４０を備える。これによって、ロッド部材４は、ピン部材（図２Ｄに示される４４）を穴４０に挿入することによって、プレート部材に回転可能に取り付けできる。穴４０はプレート部材６の縦軸Ｙに沿って配置される。プレート部材６の穴がプレート部材６の縦軸Ｙに対して対称的に配置されるため、プレート部材６は１８０度回転でき、さらに、ロッド部材４及びアーム１６に嵌合する。プレート部材６は長方形の一定断面積を有する誘導部材７６が設けられることが分かり得る。
【００８９】
図２Ｄは、図２Ａに示されるツール２のロッド部材４に取り付けられるプレート部材６の拡大図を示す。ロッド部材４は、周辺構造４２’によって囲まれる穴内に挿入される円筒形ピン部材４４によってプレート部材６に回転可能に取り付けられることが分かり得る。磁気材料または磁化可能材料で作られた周辺構造４２’を適用することによって、プレート部材６が周辺構造４２’とピン部材４４を囲むロッド部材４上の当接構造との間に磁力によって適所に保持できるように、ロッド部材４をプレート部材６に取り付けることが可能である。プレート部材６は、アーム部材のピン部材を受容するように適合される追加穴３８’’，３８’’’を備えることが分かり得る（図２Ｃ参照）。プレート部材６は第１の高さ（厚さ）を有する中央部Ｍを含み、中央部はより低い高さ（薄い厚さ）を有する側部Ｓ，Ｓ’によって囲まれる。プレート部材６は長方形の一定断面積を有する誘導部材７６が設けられることが分かり得る。
【００９０】
図２Ｅは、図２Ａに示されるツール２の角度設定デバイス８の拡大図を示す。角度設定デバイス８はねじ部が設けられるシャフトを有するノブ１０を備え、ねじ部はロッド部材４に設けられる溝２８に配置される摺動ブロック３４’に設けられる対応するねじ孔に係合する。ノブ１０のシャフト４６はアーム部材１６に設けられる孔を通って延在する。したがって、ノブ１０は角度設定デバイス８を締めるために使用でき、これによって、ロッド部材４に角度設定デバイス８を固定位置に固定する。さらに、角度設定デバイス８の位置は、ロッド部材の溝２８に沿って角度設定デバイス８を摺動させることによって変化し得、これは、摺動ブロックが溝２８に摺動可能に配置されているためである。
【００９１】
図３Ａは、プレート５０の端部に取り付けられる固定部材１４を有する設定デバイス１２の拡大図を示す。設定デバイス１２はＬ形固定部材１４を備える凹部が設けられるプレート部３２を備え、Ｌ形固定部材１４は、プレート部３２の端部を通って、凹部を通って、及びさらにＬ形固定部材１４に設けられる孔を通って延在するシャフト５２によってプレート部３２に回転可能に取り付けられる。設定デバイス１２は、プレート部３２に設けられる貫通孔を通って延在する係合構造（例えば、ロッド部材４の溝２８に配置される基底摺動ブロックに設けられる対応するねじ孔に係合するねじ式ロッド構造）を有するノブ３０を備える。設定デバイス１２の位置は、ノブ３０を回転させることによって、ロッド部材４に固定できる。同様に、設定デバイス１２の位置はノブ３０のねじを緩め、ロッド部材４の溝２８に沿って設定デバイス１２を摺動することによって変化し得る。ロッド部材４が角度指標（度単位で測定）で第１のスケール部２４を含むことと、ロッド部材４がプレート部材（図示しない）の遠位側部までの距離を示す第２のスケール部２６（センチメートル単位で測定）を含むこととが分かり得る。図３Ａでは、設定デバイス１２は約９４センチメートルの距離に設定される。したがって、ツールは、プレート５０の端面からの９４センチメートルの距離で、プレート部材（図示しない）の遠位側部でマーキングを行うために設定される。
【００９２】
角度設定デバイス８は、ロッド部材４に摺動可能に取り付けられる。角度設定デバイス８は、溝２８の底部に設けられる対応する受容構造（凹部または孔）と係合するために、変位するように構成されるピンを有するノブ１０を備える。設定デバイス８は、設定デバイス８を摺動ブロック３４’にねじ締めすることによって、角度設定デバイス８をロッド部材４に固定するように構成されるつまみねじ５６を備える。これは、ねじ部を基底摺動ブロック３４’に設けられる対応するねじ式受容部にねじ締めすることによって達成し得る。
【００９３】
設定デバイス８は、ロッド部材４に回転可能に取り付けられるプレート部材（図示しない）に対して、ロッド部材４の相対角変位を示すポインタ２０を含む。第１のスケール部２４は、ロッド部材４がそれに取り付けられるプレート部材（図示しない）に垂直に延在する場合にポインタ２０によって示される角度が０であるように設けられる。ロッド部材４とプレート部材（図示しない）との間の角度が１０度だけ（９０度から１００度に）増加する場合、ポインタは第１のスケール部２４で１０度を示すだろう。図３Ａでは、角度は約０度である。したがって、ツールは、マーキングラインの角度とプレート５０の端部の角度との間の差が約０度であるように、プレート部材（図示しない）の遠位側部でマーキングを行うために設定される。
【００９４】
設定デバイス８は図３Ｂに詳細に示されるロック構造５４を有するノブ１０を備える。アーム１６は、設定デバイス８によってロッド部材４に取り付けられる。
【００９５】
図３Ｂは、本発明に従ったツールの角度設定デバイス８の概略断面図を示す。角度設定デバイス８は、基本的に、図３Ａに示されるものに対応する。角度設定デバイス８は、中央に配置される貫通孔６４が設けられるつまみねじ５６として形成される外側構造を有するノブ１０を備える。角度設定デバイス８は、加えて、ロック構造５４の縦軸Ｚに平行に延在する支持脚５８，５８’が設けられる中央に配置されるロック構造５４を備える。
【００９６】
図３Ｂでは、支持脚５８，５８’はつまみねじ５６の支持部によって支持される。しかしながら、つまみねじ５６の支持部は支持脚５８，５８’を受容するように構成される複数の孔が設けられ、それによって、ロック構造５４は基底ロッド部材４に向かって（縦軸Ｚに沿って）垂直に変位する。つまみねじ５６は、対応する係合構造（図示しない）によって基底摺動ブロック３４’にねじ締めされるように構成される。ピン６２はロッド部材４に設けられる凹部６６で変位し、角度設定デバイス８はロッド部材４に固定される。ピン６２はロック構造５４の中央部６０に取り付けられる。
【００９７】
アーム１６は摺動ブロック３４’に回転可能に取り付けられ、孔を囲むリング部材６８を備え、ピン６２は孔を通って変位するように適合される。
【００９８】
ロッド部材４は、所定角度の値でいくつかの凹部６６を含み得る。これによって、容易に及びユーザが利用しやすいように、角度設定デバイス８をこれらの所定の角度位置（例えば、０度、１１．２５度、２２．５度、及び４５度）に設定することが可能である。
【００９９】
図３Ｂが概略的例示であることと、角度設定デバイス８のつまみねじ５６を摺動ブロック３４’に固定するように適合される係合構造を図示しないこととを強調することは重要である。これらの係合構造は、つまみねじ５６及び摺動ブロック３４’に設けられる対応するねじ式円筒形構造として形成され得る。
【０１００】
図４Ａは、本発明に従ったツールの角度設定デバイス８の断面図を示し、角度設定デバイス８はロックピン６４がロッド部材４に設けられる凹部６６の上方を上昇する構成である。図４Ｂは別の構成で図４Ａに示される角度設定デバイス８の断面図を示し、図４Ｃはロックピン６２がロッド部材４の対応する凹部６６に係合する構成で図４Ａ及び図４Ｂに示される角度設定デバイス８の断面図を示す。ピン６２はロック構造５４の縦軸Ｚに沿って移動している。
【０１０１】
図４Ａに示される構成では、ロック構造５４はロッド部材４に設けられる凹部６６と係合しない。したがって、摺動ブロック３４’はロッド部材４の溝及び長さに沿って摺動できる。つまみねじ５６の係合構造（図示しない）が摺動ブロック３４’の対応する係合構造に係合する場合、角度設定デバイス８はロッド部材４に固定され得る。
【０１０２】
図４Ａ及び図４Ｂを比較するとき、ロック構造５４がロック構造５４の縦軸Ｚに対して回転していることと、支持脚５８，５８’がつまみねじ５６の中央部に設けられる孔（図示しない）によって部分的に受容されていることとが分かり得る。図４Ｂでは、ピン６２はロッド部材に寄り掛かっている。本構成では、摺動ブロックはロッド部材４の長さに沿って摺動し得る。
【０１０３】
図４Ｃでは、ピン６２はロック構造５４の縦軸Ｚに沿って移動しており、支持脚５８，５８’はつまみねじ５６の中央部の孔によって十分に受容されている。したがって、ロックピン６２はロッド部材４の凹部６６に係合する。したがって、角度設定デバイス８及びノブ１０はロッド部材４に固定される。ロック構造５４は、支持脚５８，５８’をつまみねじ５６の中央部の支持構造上に配置するために、ロック構造５４の縦軸Ｚに沿って上向きにロック構造５４を変位させ、その後、ロック構造５４の縦軸Ｚを中心にロック構造５４を回転させることによって、ロッド部材４の凹部６６との係合から外されることができる。
【０１０４】
図４Ｄは、ロッド部材４と、ロッド部材４に摺動可能に取り付けられる角度設定デバイス８との上面断面図を示す。ロッド部材４は、プレート部材（図示しない）の縦軸（図示しない）に垂直な方向に対して、ロッド部材４の角変位を示す第１のスケール部２４を含むことが分かり得る。ロッド部材４は、さらに、センチメートルスケールが設けられる第２のスケール部２６を含む。中央に配置される溝２８はロッド部材４の長さに沿って延在する。
【０１０５】
角度設定デバイス８は、ロック構造５４を囲むつまみねじ５６を有するノブ１０に摺動可能に搭載される中央に配置されるロック構造５４を備える。アーム１６は、前述に言及した角変位を示すポインタ２０が設けられる摺動ブロック３４’によって、ロッド部材４に回転可能に及び摺動可能に取り付けられる。
【０１０６】
図５Ａは、本発明に従ったツールの角度設定デバイス８の斜視拡大図を示し、角度設定デバイス８はロックピン６４がロッド部材４に設けられる凹部の上方を上昇する構成である。他方では、図５Ｂは、ロックピンがロッド部材４に設けられる凹部に係合する構成で図５Ａに示される角度設定デバイス８の斜視拡大図を示す。
【０１０７】
図５Ａでは、支持脚５８，５８’がつまみねじ５６の中央部の支持構造７４に載ることと、孔７２が支持構造７４に設けられることとが分かり得る。ポインタ２０は、ロッド部材４とプレート部材（図示しない）に垂直な方向との間の角度が０度であることを示す。
【０１０８】
図５Ｂでは、支持脚５８，５８’が、つまみねじ５６の中央部の支持構造の孔内に部分的に挿入されることが分かり得る。したがって、ロック構造５４は、ロック構造５４の縦軸Ｚに沿って下向きに変位している。ロックピン（図４Ａ、図４Ｂ、または図４Ｃ参照）がロッド部材４の凹部の上方に位置付けられる場合、ロックピンは凹部によって受容され、角度設定デバイス８はこの位置に固定される。角度設定デバイス８は、ロック構造５４及びロックピンを持ち上げ、ロック構造５４を回転させることによってロック解除構成になり得、これにより、支持脚５８，５８’は（図５Ａに示されるような）支持構造７４に載る。
【０１０９】
図６Ａは第１のプレート５０を切断するために使用される本発明に従ったツール２の概略上面図を示し、図６Ｂは別のプレート５０を切断するために使用される図６Ａに示されるツール２の概略上面図を示す。
【０１１０】
ツール２は、ロッド部材４の長さに沿って延在する溝が設けられるロッド部材４を備える。さらに、ツール２は、対応する穴を通って延在するピン部材４４によってロッド部材４に回転可能に取り付けられるプレート部材６を備える。したがって、ピン部材４４は、ロッド部材４とプレート部材６との間で角度αだけ変化させるためにプレート部材が回転し得るシャフトを構成する。
【０１１１】
ツール２は、ピン部材３６によってプレート部材６に及びロッド部材４に取り付けられる角度設定デバイス８によってロッド部材４に、回転可能に取り付けられるアーム１６を備える。設定デバイス１２は、ロッド部材４上に移動可能に搭載される。設定デバイス１２はプレート５０に接して支え、これによって、プレート５０の端部からプレート部材６までの距離ｄ２を画定する。設定デバイス１２をロッド部材４上の関連位置に位置付けることによって、距離ｄ２を画定することが可能である。
【０１１２】
図６Ｂに分かり得るように、ロッド部材４とプレート部材６との間の角度βはロッド部材４の長さに沿って角度設定デバイス８を変位させることによって変化し得る。さらに、設定デバイス１２の位置を変化させることによって、図６Ｂに示される第１の距離ｄ１及び第２の距離ｄ２を変化させることが可能である。
【０１１３】
ツール２が所望の位置／設定に設定されているとき、切断ツール７０（例えば、ナイフ）によってプレート５０を切断する、またはマーキングツール（例えば、鉛筆）によってプレート５０をマークすることが可能である。
【０１１４】
プレート部材６は、プレート部材６の全長に沿って延在する誘導部材７６が設けられることが分かり得る。
【０１１５】
図７Ａは、本発明に従ったプレート部材６の概略端面図を示す。プレート部材６は長方形の一定断面積を有する誘導部材７６が設けられることが分かり得る。ゴムで作られた弾力部材８４はプレート部材６の側部Ｓに取り付けられる。ゴムで作られた弾力部材８４は、プレートが（例えば、丸のこぎりを使用することによって）切断手順中に擦り切れることを防止する。弾力部材８４はプレート部材６に着脱可能に取り付けられる。これによって、弾力部材８４は摩耗した場合に交換できる。弾力部材８４はプレート部材６に設けられる受容溝内に挿入される。
【０１１６】
反対側部Ｓ’は任意の追加構造が設けられていない。この反対側部Ｓ’は、ナイフによって構造（例えば、石膏ボード）を切断するときに、またはマーキングツール（例えば、鉛筆）を使用するときに使用されるように適合される。
【０１１７】
図７Ｂは、本発明に従ったプレート部材４の概略端面図を示す。ロッド部材４の長さに沿って延在する溝は、ロッド部材４の中央に設けられる。摺動ブロック３４は溝内に挿入されている。アーム１６は、つまみねじ５６及びロック構造５４を有する角度設定デバイス８によって、ロッド部材４に取り付けられる。ロッド部材６の溝のベースプレート８６は、所定の角度位置に対応する所定位置（例えば、ポインタ（図示しない）が、例えば、０度、１１．２５度、２２．５度、及び４５度等のいくつかの所定の値に対応する所定角度の値を示す角度位置）で１つ以上の凹部が設けられる。角度設定デバイス８は、角度設定デバイス８を所定の角度位置にロックするために、凹部内に挿入されるように配置及び構成されるピン部材（図示しない）を備える。
【符号の説明】
【０１１８】
２  ツール
４，４’  ロッド部材
６  プレート部材
８  角度設定デバイス
１０  ノブ
１２  設定デバイス
１４  固定部材
１６  アーム
１８  受容部（雌部）
２０  ポインタ
２２  挿入部（雄部）
２４，２４’，２６，２６’  スケール部
２８  溝
３０  ノブ
３２  プレート部
３４，３４’  摺動ブロック
３６  ピン部材
３８，３８’，３８’，３８’’’  孔
４０，４０’  孔
４２，４２’  周辺構造
４４  ピン部材
４６  シャフト
４８  マーキングツール
５０  プレート
５２  シャフト
５４  ロック構造
５６  つまみねじ
５８，５８’  支持脚
６０  中央部
６２  ピン
６４  孔
６６  凹部
６８  リング部材
７０  切断ツール
７２  孔
７４  支持構造
７６  誘導部材
７８  間隔
８０  円板部材
８２，８２’  フライス盤
８４  弾性部材
８６  ベースプレート
Ｘ，Ｙ，Ｚ  軸
Ｓ，Ｓ’  側部
Ｍ  中央部
α，β  角度
ｄ１，ｄ２  距離
【手続補正２】
【補正対象書類名】特許請求の範囲
【補正対象項目名】全文
【補正方法】変更
【補正の内容】
【特許請求の範囲】
【請求項１】
所定の様式で構造をマークまたは切断するプロセスを補助するためのツール（２）であって、
縦軸（Ｘ）を有するロッド部材（４）と、
前記ロッド部材（４）に回転可能に取り付けられるプレート部材（６）と、
前記ロッド部材（４）及び前記プレート部材（６）に取り外し可能に取り付けられるアーム（１６）と、を備え、
前記プレート部材（６）は、ジョイント（４４，４２，４２’，４０，４０’）を備える構造（４０，４０’，４２，４２’，４４，８０）によって前記ロッド部材（４）に回転可能に取り付けられ、
１つ以上の磁気構造または磁化可能構造（４２，４２’，８０）は、前記ロッド部材（４）と前記プレート部材（６）との間に磁力を提供するように構成され、
１つ以上の磁気構造または磁化可能構造（４２，４２’，８０）は前記アーム（１６）と前記プレート部材（６）との間に磁力を提供するように構成されることを特徴とする、ツール（２）。
【請求項２】
前記プレート部材（６）は、対応する受容部（４２，４２’）内に挿入される円筒形ピン部材（４４）を備えるピボットジョイント（４０，４０’，４２，４２’，４４，８０）によって前記ロッド部材（４）に回転可能に取り付けられることを特徴とする、請求項１に記載のツール（２）。
【請求項３】
前記円筒形ピン部材（４４）は少なくとも部分的に磁気材料または磁化可能材料で作られた構造（８０）（好ましくは平面構造（８０））によって囲まれ、前記受容部（４２，４２’）は前記構造（８０）と接触するように配置及び構成され、前記構造（８０）及び前記受容部（４２，４２’）は、前記構造（８０）及び前記受容部（４２，４２’）が磁力によって相互に引き付けられることを確実にする材料で作られることを特徴とする、請求項２に記載のツール（２）。
【請求項４】
前記ツール（２）は前記ロッド部材（４）に取り外し可能に取り付けられる設定デバイス（１２）を備え、前記設定デバイス（１２）は、前記設定デバイス（１２）に移動可能に取り付けられる固定部材（１４）を備えることを特徴とする、請求項１〜３のいずれか１項に記載のツール（２）。
【請求項５】
前記ツール（２）は、前記ロッド部材（４）に取り外し可能に取り付けられる角度設定デバイス（８）を備えることを特徴とする、請求項１〜４のいずれか１項に記載のツール（２）。
【請求項６】
前記角度設定デバイス（８）は、前記ロッド部材（４）に設けられる対応する係合構造（６６）とロックして係合するように構成される係合構造（６２）を備えるロック構造（５４）を備えることを特徴とする、請求項５に記載のツール（２）。
【請求項７】
溝（２８）は、前記ロッド部材（４）の長さに沿って、好ましくは前記ロッド部材（４）の全長に沿って延在することを特徴とする、請求項１〜６のいずれか１項に記載のツール（２）。
【請求項８】
前記プレート部材（６）は前記プレート部材（６）の前記縦軸（Ｙ）に沿って配置される穴（４０，４０’）が設けられることを特徴とする、請求項１〜７のいずれか１項に記載のツール（２）。
【請求項９】
追加穴（３８，３８’，３８’’，３８’’’）は前記プレート部材（６）に設けられ、前記追加穴（３８，３８’，３８’’，３８’’’）は前記プレート部材（６）の前記縦軸（Ｙ）に対して対称的に設けられることを特徴とする、請求項１〜８のいずれか１項に記載のツール（２）。
【請求項１０】
前記ツール（２）は、前記ロッド部材（４）の対応する取り付け構造（１８）と係合するように適合される取り付け構造（２２）が設けられる追加ロッド部材（４’）を備えることを特徴とする、請求項１〜９のいずれか１項に記載のツール（２）。
【国際調査報告】
2021517075.tif 000016
2021517075.tif 000017